(57)【特許請求の範囲】
【請求項１】
建物外から建物内に引き込まれた第１の光ドロップケーブル（１０1）と建物内に敷設された第２の光ドロップケーブル（１０2）とを建物内で接続するための光ケーブル接続具であって、
前記第１および第２の光ドロップケーブルを接続した状態で固定するためのハウジング（２０）と、
第１および第２の光ドロップケーブル固定手段とを具備し、
前記ハウジングの上面に、前記第１および第２の光ドロップケーブルをそれぞれ収容するための第１および第２のケーブル収容溝（２１1，２１2）が、該ハウジングの両端部から該ハウジングの中央部に向かって延びてそれぞれ形成されており、
前記第１および第２のケーブル収容溝の間の領域に、前記第１の光ドロップケーブルの第１の被覆（１３1）を該第１の光ドロップケーブルの幅方向中央部で長手方向に沿って所定の長さだけ切り開いて該第１の光ドロップケーブルの先端部を２つの先端部分（１０ａ11，１０ａ12）に分岐させることによって露出された第１の光ファイバ心線（１１1）と、前記第２の光ドロップケーブルの第２の被覆（１３2）を該第２の光ドロップケーブルの幅方向中央部で長手方向に沿って所定の長さだけ切り開いて該第２の光ドロップケーブルの先端部を２つの先端部分（１０ａ21，１０ａ22）に分岐させることによって露出された第２の光ファイバ心線（１１2）とを接続するためのファイバ連結部（２２）が前記ハウジングの上面の凹部として形成されており、
前記ファイバ連結部に、前記第１および第２の光ファイバ心線を接続する光ファイバ心線接続手段を該光ファイバ心線接続手段の幅方向両側から保持する第１および第２の保持爪（２２ａ1，２２ａ2）が設けられており、
前記第１の光ドロップケーブル固定手段が、前記ファイバ連結部の前記光ファイバ心線接続手段の幅方向両側の一方側に設けられているとともに、前記第１の光ドロップケーブルのテンションメンバ（１２11，１２12）および第１の被覆（１３1）を含む前記２つの先端部分（１０ａ11，１０ａ12）のうちの一方（１０ａ11）の第１の被覆（１３1）を取り除くことにより露出されたテンションメンバ（１２11）と前記第２の光ドロップケーブルのテンションメンバ（１２21，１２22）および第２の被覆（１３2）を含む前記２つの先端部分（１０ａ21，１０ａ22）のうちの一方（１０ａ21）の第２の被覆（１３2）を取り除くことにより露出されたテンションメンバ（１２21）とを固定することにより前記第１および第２の光ドロップケーブルを前記ハウジングに固定する第１のテンションメンバ固定手段を有し、
前記第２の光ドロップケーブル固定手段が、前記ファイバ連結部の前記光ファイバ心線接続手段の幅方向両側の他方側に設けられているとともに、前記第１の光ドロップケーブルのテンションメンバ（１２11，１２12）および第１の被覆（１３1）を含む前記２つの先端部分（１０ａ11，１０ａ12）のうちの他方（１０ａ1２）の第１の被覆（１３1）を取り除くことにより露出されたテンションメンバ（１２12）と前記第２の光ドロップケーブルのテンションメンバ（１２21，１２22）および第２の被覆（１３2）を含む前記２つの先端部分（１０ａ21，１０ａ22）のうちの他方（１０ａ22）の第２の被覆（１３2）を取り除くことにより露出されたテンションメンバ（１２22）とを固定することにより前記第１および第２の光ドロップケーブルを前記ハウジングに固定する第２のテンションメンバ固定手段を有し、
前記第１の光ドロップケーブルのテンションメンバおよび第１の被覆を含む前記２つの先端部分（１０ａ11，１０ａ12）と前記第２の光ドロップケーブルのテンションメンバおよび第２の被覆を含む前記２つの先端部分（１０ａ21，１０ａ22）とが、前記ファイバ連結部内において前記第１および第２のテンションメンバ固定手段に導かれている、
ことを特徴とする、光ケーブル接続具。
【請求項２】
前記第１の光ドロップケーブル固定手段の前記第１のテンションメンバ固定手段が、前記第１の光ドロップケーブルの２つの先端部分（１０ａ11，１０ａ12）のうちの一方（１０ａ11）から露出されたテンションメンバ（１２11）および前記第２の光ドロップケーブルの２つの先端部分（１０ａ21，１０ａ22）のうちの一方（１０ａ21）から露出されたテンションメンバ（１２21）を支持するための第１の支持部（２６1）と、該第１の支持部によって支持された前記２本のテンションメンバ（１２11，１２21）を該第１の支持部と頭部との間で締め付けるための第１のねじ（２７1）とを有し、
前記第２の光ドロップケーブル固定手段の前記第２のテンションメンバ固定手段が、前記第１の光ドロップケーブルの２つの先端部分（１０ａ11，１０ａ12）のうちの他方（１０ａ1２）から露出されたテンションメンバ（１２12）および前記第２の光ドロップケーブルの２つの先端部分（１０ａ21，１０ａ22）のうちの他方（１０ａ22）から露出されたテンションメンバ（１２22）を支持するための第２の支持部（２６2）と、該第２の支持部によって支持された前記２本のテンションメンバ（１２12，１２22）を該第２の支持部と頭部との間で締め付けるための第２のねじ（２７2）とを有する、
ことを特徴とする、請求項１記載の光ケーブル接続具。
【請求項３】
前記第１の光ドロップケーブル固定手段の前記第１のテンションメンバ固定手段が、前記第１のねじの代わりに、前記第１の支持部によって支持された前記２本のテンションメンバ（１２11，１２21）をそれぞれ固定する２つのねじ（２７11，２７12）を有し、
前記第２の光ドロップケーブル固定手段の前記第２のテンションメンバ固定手段が、前記第２のねじの代わりに、前記第２の支持部によって支持された前記２本のテンションメンバ（１２12，１２22）をそれぞれ固定する２つのねじ（２７21，２７22）を有する、
ことを特徴とする、請求項２記載の光ケーブル接続具。
【請求項４】
前記第１の光ドロップケーブル固定手段の前記第１のテンションメンバ固定手段が、
前記第１の光ドロップケーブルの２つの先端部分（１０ａ11，１０ａ12）のうちの一方（１０ａ11）から露出されたテンションメンバ（１２11）および前記第２の光ドロップケーブの２つの先端部分（１０ａ21，１０ａ22）のうちの一方（１０ａ21）から露出されたテンションメンバ（１２21）がそれぞれ挿入される２つの挿通孔（４１ａ11，４１ａ12）が形成された、かつ、外表面に該２つの挿通孔（４１ａ11，４１ａ12）にそれぞれ達する２つのねじ孔（４１ｂ11，４１ｂ12）が開口された第１の支持部（４１1）と、
前記２つのねじ孔（４１ｂ11，４１ｂ12）にそれぞれねじ込まれる２つのねじ（４２11，４２12）とを有し、
前記第２の光ドロップケーブル固定手段の前記第２のテンションメンバ固定手段が、
前記第１の光ドロップケーブルの前記２つの先端部分（１０ａ11，１０ａ12）のうちの他方（１０ａ12）から露出されたテンションメンバ（１２12）および前記第２の光ドロップケーブの前記２つの先端部分（１０ａ21，１０ａ22）のうちの他方（１０ａ22）から露出されたテンションメンバ（１２22）がそれぞれ挿入される２つの挿通孔（４１ａ21，４１ａ22）が形成された、かつ、外表面に該２つの挿通孔（４１ａ21，４１ａ22）にそれぞれ達する２つのねじ孔（４１ｂ21，４１ｂ22）が開口された第２の支持部（４１2）と、
前記２つのねじ孔（４１ｂ21，４１ｂ22）にそれぞれねじ込まれる２つのねじ（４２21，４２22）とを有する、
ことを特徴とする、請求項１記載の光ケーブル接続具。
【請求項５】
前記第１の光ドロップケーブル固定手段の前記第１のテンションメンバ固定手段が、第１の支持部（４３1）、２つの押さえ金具（４４11，４４12）および２つのねじ（４５11，４５12）を有するとともに、該第１の支持部によって支持された前記第１の光ドロップケーブルの２つの先端部分（１０ａ11，１０ａ12）の一方（１０ａ11）から露出されたテンションメンバ（１２11）および前記第２の光ドロップケーブルの２つの先端部分（１０ａ21，１０ａ22）のうちの一方（１０ａ21）から露出されたテンションメンバ（１２21）を該第１の支持部と該２つの押さえ金具（４４11，４４12）とでそれぞれ挟んで前記ハウジングに固定し、
前記第２の光ドロップケーブル固定手段の前記第２のテンションメンバ固定手段が、第２の支持部（４３2）、２つの押さえ金具（４４21，４４22）および２つのねじ（４５21，４５22）を有するとともに、該第２の支持部によって支持された前記第１の光ドロップケーブルの前記２つの先端部分（１０ａ11，１０ａ12）の他方（１０ａ12）から露出されたテンションメンバ（１２12）および前記第２の光ドロップケーブルの前記２つの先端部分（１０ａ21，１０ａ22）のうちの他方（１０ａ22）から露出されたテンションメンバ（１２22）を該第２の支持部と該２つの押さえ金具（４４21，４４22）とでそれぞれ挟んで前記ハウジングに固定し、
前記第１のテンションメンバ固定手段の前記第１の支持部の長手方向両端部に、前記２つのねじ（４５11，４５12）を該第１の支持部にそれぞれねじ込むための２つのねじ孔（４３ａ11，４３ａ12）がそれぞれ形成されており、
前記第１のテンションメンバ固定手段の前記２つの押さえ金具（４４11，４４12）に、前記２つのねじ（４５11，４５12）をそれぞれ通すための２つの孔（４４ａ11，４４ａ12）がそれぞれ形成されており、
前記第２のテンションメンバ固定手段の前記第２の支持部の長手方向両端部に、前記２つのねじ（４５21，４５22）を該第２の支持部にそれぞれねじ込むための２つのねじ孔（４３ａ21，４３ａ22）がそれぞれ形成されており、
前記第２のテンションメンバ固定手段の前記２つの押さえ金具（４４21，４４22）に、前記２つのねじ（４５21，４５22）をそれぞれ通すための２つの孔（４４ａ21，４４ａ22）がそれぞれ形成されている、
ことを特徴とする、請求項１記載の光ケーブル接続具。
【請求項６】
前記第１の光ドロップケーブル固定手段の前記第１のテンションメンバ固定手段が、
前記第１の光ドロップケーブルの２つの先端部分（１０ａ11，１０ａ12）のうちの一方（１０ａ11）から露出されたテンションメンバ（１２11）および前記第２の光ドロップケーブルの２つの先端部分（１０ａ21，１０ａ22）の一方（１０ａ21）から露出されたテンションメンバ（１２21）を支持する第１の支持部（２６1）と、
該第１の支持部によって支持された前記２つのテンションメンバ（１２11，１２21）を一緒に前記ハウジングに固定するための複数のねじ（２７ａ1，２７ｂ1，２７ｃ1）とを有し、
前記第２の光ドロップケーブル固定手段の前記第２のテンションメンバ固定手段が、
前記第１の光ドロップケーブルの前記２つの先端部分（１０ａ11，１０ａ12）のうちの他方（１０ａ12）から露出されたテンションメンバ（１２12）および前記第２の光ドロップケーブルの前記２つの先端部分（１０ａ21，１０ａ22）の他方（１０ａ22）から露出されたテンションメンバ（１２22）を支持する第２の支持部（２６2）と、
該第２の支持部によって支持された前記２つのテンションメンバ（１２12，１２22）を一緒に前記ハウジングに固定するための複数のねじ（２７ａ2，２７ｂ2，２７ｃ2）とを有する、
ことを特徴とする、請求項１記載の光ケーブル接続具。
【請求項７】
前記第１の光ドロップケーブル固定手段が、前記第１のケーブル収容溝が形成された領域における前記ハウジングに形成された、かつ、該第１のケーブル収容溝の幅方向両側から該第１のケーブル収容溝に向かって突出してそれぞれ延びる２つのケーブル保持部（２１ａ11，２１ａ12）をさらに有し、
前記第２の光ドロップケーブル固定手段が、前記第２のケーブル収容溝が形成された領域における前記ハウジングに形成された、かつ、該第２のケーブル収容溝の幅方向両側から該第２のケーブル収容溝に向かって突出してそれぞれ延びる２つのケーブル保持部（２１ａ21，２１ａ２2）をさらに有する、
ことを特徴とする、請求項１乃至６いずれかに記載の光ケーブル接続具。
【請求項８】
前記第１の光ドロップケーブル固定手段が、前記第１のケーブル収容溝を該第１のケーブル収容溝の幅方向に横断するように前記ハウジングに取り付けられた、かつ、一方の端部が第１の軸部材（２３ａ1）によって該ハウジングに回動自在に支持され、他方の端部が第１のねじ（２４1）によって該ハウジングに固定される第１のケーブル押さえ（２３1）をさらに有し、
前記第２の光ドロップケーブル固定手段が、前記第２のケーブル収容溝を該第２のケーブル収容溝の幅方向に横断するように前記ハウジングに取り付けられた、かつ、一方の端部が第２の軸部材（２３ａ2）によって該ハウジングに回動自在に支持され、他方の端部が第２のねじ（２４2）によって該ハウジングに固定される第２のケーブル押さえ（２３2）をさらに有する、
ことを特徴とする、請求項１乃至６いずれかに記載の光ケーブル接続具。
【請求項９】
接続後の前記第１および第２の光ドロップケーブルの前記第１および第２の光ファイバ心線を保護するためのカバー（３０）をさらに具備し、
前記第１および第２の光ドロップケーブル固定手段が、前記カバーを閉じた状態で前記第１および第２のケーブル収容溝と対向する前記カバーの領域にそれぞれ設けられた第１および第２の凸部（３２1，３２2）をそれぞれさらに有する、
ことを特徴とする、請求項１乃至６いずれかに記載の光ケーブル接続具。
【請求項１０】
前記第１の光ドロップケーブルの２つの先端部分および前記第２の光ドロップケーブルの２つの先端部分を前記第１および第２の支持部に良好に導くためのケーブルガイド手段として、前記ファイバ連結部に設けられた第１乃至第４のガイドピン（２８1〜２８4）をさらに具備することを特徴とする、請求項１乃至９いずれかに記載の光ケーブル接続具。
【請求項１１】
前記第１の光ドロップケーブルの２つの先端部分および前記第２の光ドロップケーブルの２つの先端部分を前記第１および第２の支持部に良好に導くためのケーブルガイド手段として、
前記第１の光ドロップケーブルの２つの先端部分（１０ａ11，１０ａ12）のうちの一方（１０ａ11）を側方から挟み込む一対のクランプ爪（４７11，４７12）と、
前記第１の光ドロップケーブルの前記２つの先端部分（１０ａ11，１０ａ12）のうちの他方（１０ａ12）を側方から挟み込む一対のクランプ爪（４７13，４７14）と、
前記第２の光ドロップケーブルの２つの先端部分（１０ａ21，１０ａ22）のうちの一方（１０ａ21）を側方から挟み込む一対のクランプ爪（４７21，４７22）と、
前記第２の光ドロップケーブルの前記２つの先端部分（１０ａ21，１０ａ22）のうちの他方（１０ａ22）を側方から挟み込む一対のクランプ爪（４７23，４７24）と、
をさらに具備することを特徴とする、請求項１乃至９いずれかに記載の光ケーブル接続具。
【請求項１２】
前記光ケーブル接続具の背面に第１および第２の取付け穴（５０1，５０2）が形成されており、
該第１および第２の取付け穴に、室内の壁面（５５）や床面などに設けられた第１および第２のフック（５１1，５１2）がそれぞれ挿入される、
ことを特徴とする、請求項１乃至１１いずれかに記載の光ケーブル接続具。
【請求項１３】
前記光ケーブル接続具が、保護スリーブ（６０）で保護されており、
該保護スリーブが、一端が前記光ケーブル接続具の前記ハウジングの近傍で該ハウジングから延出した前記第１および第２の光ドロップケーブルの少なくとも一方に取り付けられたゴム製の少なくとも１つのチューブ（６１1，６１2）を備える、
ことを特徴とする、請求項１乃至１２いずれかに記載の光ケーブル接続具。
【請求項１４】
前記光ケーブル接続具が、保護スリーブ（７０）で保護されており、
該保護スリーブが、前記光ケーブル接続具を包囲するように第１および第２のカップ状部材（７１1，７１2）を向かい合わせた構成を有する円筒状のスリーブを備え、
前記第１および第２のカップ状部材の底部側端部に、前記第１および第２の光ドロップケーブルがそれぞれ挿通される第１および第２のケーブル挿通孔（７２1，７２2）が形成され、
前記第１および第２のカップ状部材の開放側端部の内周面に、第１および第２のねじ溝（７３1，７３2）が形成されており、
前記光ケーブル接続具の外面に、該光ケーブル接続具の長手方向中央部において、前記第１および第２のカップ状部材の開放側端部を支持する、かつ、外周面に前記第１および第２のカップ状部材の前記第１および第２のねじ溝に対応するねじ山が形成されたリング状部（７４）が形成されている、
ことを特徴とする、請求項１乃至１２いずれかに記載の光ケーブル接続具。
【請求項１５】
前記ハウジングと長手方向に沿った辺同士が開閉自在に連結された、かつ、該ハウジングに対して閉じられた状態では該ハウジングを覆うカバー（３０）をさらに具備し、
該カバーおよび前記ハウジングの互いに連結された辺と対向する辺には、互いに係合し合う係合爪（３０ａ1，３０ａ2，２０ａ）および係合凹部（２０ｂ1，２０ｂ2，３０ｂ）で構成される係合構造が設けられている、
ことを特徴とする、請求項１乃至１４いずれかに記載の光ケーブル接続具。
【請求項１６】
前記ハウジングと長手方向に沿った辺同士が開閉自在に連結された、かつ、該ハウジングに対して閉じられた状態では該ハウジングを覆うカバー（３０）と、
該カバーおよび前記ハウジングを弾性的に挟み込む第１および第２の挟持面（８１1，８１2）と該第１および第２の挟持面の間の背面（８２）とを備えるハウジング固定具（８０）とをさらに具備し、
前記第１および第２の挟持面に、前記カバーの上面および前記ハウジングの底面にそれぞれ形成された第１および第２の溝（８５1，８５2）とそれぞれ嵌合する第１および第２の凹部（８３1，８３2）がそれぞれ形成されており、
前記第１および第２の挟持面の先端に、第１および第２の爪が設けられている、
ことを特徴とする、請求項１乃至１４いずれかに記載の光ケーブル接続具。
【発明の詳細な説明】
【技術分野】
【０００１】
本発明は、光ケーブル接続具に関し、特に、建物外から建物内に引き込まれた光ドロップケーブルと建物内に敷設された光ドロップケーブルとを建物内で接続するのに好適な光ケーブル接続具に関する。
【背景技術】
【０００２】
インターネットの普及に伴い、光ファイバを用いて高速かつ大容量の信号を各家庭やオフィスなどへ伝送することができるＦＴＴＨ（Fiber To The Home）が注目されている。光ファイバを各家庭やオフィスなどの建物まで敷設する方法としては、従来のメタル電話線と同様に架空線路を利用して、多芯光ケーブルを敷設する方法が主流である。架空線路から建物までは、引落し用クロージャを介して１芯または２芯の光ドロップケーブルを接続することによって、多芯光ケーブルを分配している。
【０００３】
従来、引落し用クロージャからの光ドロップケーブルと建物内に敷設された光ドロップケーブルとの接続は、建物外に設置された接続部を用いて行われている。
たとえば、下記の特許文献１および特許文献２には、小型かつ軽量でありかつ設置場所の制約を少なくするために、光ファイバと支持線とをそれぞれ備えた２本の光ドロップケーブルの端末同士を接続する光ドロップケーブルの接続部において、双方の光ドロップケーブルの端末からそれぞれ露出された光ファイバの端末同士が直接接続され、直接接続されたそれぞれの光ファイバの端末に弛みが生じるように、双方の光ドロップケーブルの支持線の端末同士が直線的に連結されている、光ドロップケーブルの接続部が開示されている。
【０００４】
また、光ドロップケーブルは、ユーザの変更、建物の変更、あるいは架空線路の変更が生じると、再敷設および撤去される。このことは、光ドロップケーブルの無駄を生じさせてしまう。
そこで、下記の特許文献３には、たとえば光ドロップケーブルの長さが不足したような場合であっても光ドロップケーブルの継ぎ足しが容易に行えて光ドロップケーブルの再敷設などが不要となるようにするために、少なくとも一対の光ファイバケーブルの被覆部を固定する２つのケーブル固定部と、２つのケーブル固定部との間に光ファイバの接続部を固定する接続部固定部とを有する光ファイバケーブル接続用スペーサが開示されている。
【特許文献１】特開２００４−２９４９９号公報
【特許文献２】特開２００４−３２５９９８号公報
【特許文献３】特開２００４−２１２９１２号公報
【発明の開示】
【発明が解決しようとする課題】
【０００５】
しかしながら、上述した特許文献１および特許文献２に開示された光ドロップケーブルの接続部は、加入者用光ファイバケーブルと加入者宅間の架空区間で張力を担う支持線を利用するものであるので、十分な引張強度を持たせて光ドロップケーブル同士を建物外で接続するのには有効であるかもしれないが、支持線は光ドロップケーブルを建物内に引き込む際には切断されるため、十分な引張強度を持たせて光ドロップケーブル同士を建物内で接続するのには有効ではない。
また、上述した特許文献３に開示された光ファイバケーブル接続用スペーサは、光ドロップケーブルの継ぎ足しを容易に行って光ドロップケーブルの再敷設などを不要にするためには有効であるかもしれないが、たとえば建物内に引き込まれている光ドロップケーブルを補修する場合には、このような光ファイバケーブル接続用スペーサを用いて建物外で光ドロップケーブル同士を接続するよりも、建物内で光ドロップケーブル同士を接続した方が、作業性の向上が図れる。
【０００６】
本発明の目的は、十分な引張強度を持たせた光ドロップケーブル同士の接続を建物内で行うことができる光ケーブル接続具を提供することにある。
【課題を解決するための手段】
【０００７】
本発明の光ケーブル接続具は、建物外から建物内に引き込まれた第１の光ドロップケーブル（１０1）と建物内に敷設された第２の光ドロップケーブル（１０2）とを建物内で接続するための光ケーブル接続具であって、前記第１および第２の光ドロップケーブルを接続した状態で固定するためのハウジング（２０）と、第１および第２の光ドロップケーブル固定手段とを具備し、前記ハウジングの上面に、前記第１および第２の光ドロップケーブルをそれぞれ収容するための第１および第２のケーブル収容溝（２１1，２１2）が、該ハウジングの両端部から該ハウジングの中央部に向かって延びてそれぞれ形成されており、前記第１および第２のケーブル収容溝の間の領域に、前記第１の光ドロップケーブルの第１の被覆（１３1）を該第１の光ドロップケーブルの幅方向中央部で長手方向に沿って所定の長さだけ切り開いて該第１の光ドロップケーブルの先端部を２つの先端部分（１０ａ11，１０ａ12）に分岐させることによって露出された第１の光ファイバ心線（１１1）と、前記第２の光ドロップケーブルの第２の被覆（１３2）を該第２の光ドロップケーブルの幅方向中央部で長手方向に沿って所定の長さだけ切り開いて該第２の光ドロップケーブルの先端部を２つの先端部分（１０ａ21，１０ａ22）に分岐させることによって露出された第２の光ファイバ心線（１１2）とを接続するためのファイバ連結部（２２）が前記ハウジングの上面の凹部として形成されており、前記ファイバ連結部に、前記第１および第２の光ファイバ心線を接続する光ファイバ心線接続手段を該光ファイバ心線接続手段の幅方向両側から保持する第１および第２の保持爪（２２ａ1，２２ａ2）が設けられており、前記第１の光ドロップケーブル固定手段が、前記ファイバ連結部の前記光ファイバ心線接続手段の幅方向両側の一方側に設けられているとともに、前記第１の光ドロップケーブルのテンションメンバ（１２11，１２12）および第１の被覆（１３1）を含む前記２つの先端部分（１０ａ11，１０ａ12）のうちの一方（１０ａ11）の第１の被覆（１３1）を取り除くことにより露出されたテンションメンバ（１２11）と前記第２の光ドロップケーブルのテンションメンバ（１２21，１２22）および第２の被覆（１３2）を含む前記２つの先端部分（１０ａ21，１０ａ22）のうちの一方（１０ａ21）の第２の被覆（１３2）を取り除くことにより露出されたテンションメンバ（１２21）とを固定することにより前記第１および第２の光ドロップケーブルを前記ハウジングに固定する第１のテンションメンバ固定手段を有し、前記第２の光ドロップケーブル固定手段が、前記ファイバ連結部の前記光ファイバ心線接続手段の幅方向両側の他方側に設けられているとともに、前記第１の光ドロップケーブルのテンションメンバ（１２11，１２12）および第１の被覆（１３1）を含む前記２つの先端部分（１０ａ11，１０ａ12）のうちの他方（１０ａ1２）の第１の被覆（１３1）を取り除くことにより露出されたテンションメンバ（１２12）と前記第２の光ドロップケーブルのテンションメンバ（１２21，１２22）および第２の被覆（１３2）を含む前記２つの先端部分（１０ａ21，１０ａ22）のうちの他方（１０ａ22）の第２の被覆（１３2）を取り除くことにより露出されたテンシ���ンメンバ（１２22）とを固定することにより前記第１および第２の光ドロップケーブルを前記ハウジングに固定する第２のテンションメンバ固定手段を有し、前記第１の光ドロップケーブルのテンションメンバおよび第１の被覆を含む前記２つの先端部分（１０ａ11，１０ａ12）と前記第２の光ドロップケーブルのテンションメンバおよび第２の被覆を含む前記２つの先端部分（１０ａ21，１０ａ22）とが、前記ファイバ連結部内において前記第１および第２のテンションメンバ固定手段に導かれている、
ことを特徴とする。
ここで、前記第１の光ドロップケーブル固定手段の前記第１のテンションメンバ固定手段が、前記第１の光ドロップケーブルの２つの先端部分（１０ａ11，１０ａ12）のうちの一方（１０ａ11）から露出されたテンションメンバ（１２11）および前記第２の光ドロップケーブルの２つの先端部分（１０ａ21，１０ａ22）のうちの一方（１０ａ21）から露出されたテンションメンバ（１２21）を支持するための第１の支持部（２６1）と、該第１の支持部によって支持された前記２本のテンションメンバ（１２11，１２21）を該第１の支持部と頭部との間で締め付けるための第１のねじ（２７1）とを有し、前記第２の光ドロップケーブル固定手段の前記第２のテンションメンバ固定手段が、前記第１の光ドロップケーブルの２つの先端部分（１０ａ11，１０ａ12）のうちの他方（１０ａ1２）から露出されたテンションメンバ（１２12）および前記第２の光ドロップケーブルの２つの先端部分（１０ａ21，１０ａ22）のうちの他方（１０ａ22）から露出されたテンションメンバ（１２22）を支持するための第２の支持部（２６2）と、該第２の支持部によって支持された前記２本のテンションメンバ（１２12，１２22）を該第２の支持部と頭部との間で締め付けるための第２のねじ（２７2）とを有してもよい。
前記第１の光ドロップケーブル固定手段の前記第１のテンションメンバ固定手段が、前記第１のねじの代わりに、前記第１の支持部によって支持された前記２本のテンションメンバ（１２11，１２21）をそれぞれ固定する２つのねじ（２７11，２７12）を有し、前記第２の光ドロップケーブル固定手段の前記第２のテンションメンバ固定手段が、前記第２のねじの代わりに、前記第２の支持部によって支持された前記２本のテンションメンバ（１２12，１２22）をそれぞれ固定する２つのねじ（２７21，２７22）を有してもよい。
前記第１の光ドロップケーブル固定手段の前記第１のテンションメンバ固定手段が、前記第１の光ドロップケーブルの２つの先端部分（１０ａ11，１０ａ12）のうちの一方（１０ａ11）から露出されたテンションメンバ（１２11）および前記第２の光ドロップケーブの２つの先端部分（１０ａ21，１０ａ22）のうちの一方（１０ａ21）から露出されたテンションメンバ（１２21）がそれぞれ挿入される２つの挿通孔（４１ａ11，４１ａ12）が形成された、かつ、外表面に該２つの挿通孔（４１ａ11，４１ａ12）にそれぞれ達する２つのねじ孔（４１ｂ11，４１ｂ12）が開口された第１の支持部（４１1）と、前記２つのねじ孔（４１ｂ11，４１ｂ12）にそれぞれねじ込まれる２つのねじ（４２11，４２12）とを有し、前記第２の光ドロップケーブル固定手段の前記第２のテンションメンバ固定手段が、前記第１の光ドロップケーブルの前記２つの先端部分（１０ａ11，１０ａ12）のうちの他方（１０ａ12）から露出されたテンションメンバ（１２12）および前記第２の光ドロップケーブの前記２つの先端部分（１０ａ21，１０ａ22）のうちの他方（１０ａ22）から露出されたテンションメンバ（１２22）がそれぞれ挿入される２つの挿通孔（４１ａ21，４１ａ22）が形成された、かつ、外表面に該２つの挿通孔（４１ａ21，４１ａ22）にそれぞれ達する２つのねじ孔（４１ｂ21，４１ｂ22）が開口された第２の支持部（４１2）と、前記２つのねじ孔（４１ｂ21，４１ｂ22）にそれぞれねじ込まれる２つのねじ（４２21，４２22）とを有してもよい。
前記第１の光ドロップケーブル固定手段の前記第１のテンションメンバ固定手段が、第１の支持部（４３1）、２つの押さえ金具（４４11，４４12）および２つのねじ（４５11，４５12）を有するとともに、該第１の支持部によって支持された前記第１の光ドロップケーブルの２つの先端部分（１０ａ11，１０ａ12）の一方（１０ａ11）から露出されたテンションメンバ（１２11）および前記第２の光ドロップケーブルの２つの先端部分（１０ａ21，１０ａ22）のうちの一方（１０ａ21）から露出されたテンションメンバ（１２21）を該第１の支持部と該２つの押さえ金具（４４11，４４12）とでそれぞれ挟んで前記ハウジングに固定し、前記第２の光ドロップケーブル固定手段の前記第２のテンションメンバ固定手段が、第２の支持部（４３2）、２つの押さえ金具（４４21，４４22）および２つのねじ（４５21，４５22）を有するとともに、該第２の支持部によって支持された前記第１の光ドロップケーブルの前記２つの先端部分（１０ａ11，１０ａ12）の他方（１０ａ12）から露出されたテンションメンバ（１２12）および前記第２の光ドロップケーブルの前記２つの先端部分（１０ａ21，１０ａ22）のうちの他方（１０ａ22）から露出されたテンションメンバ（１２22）を該第２の支持部と該２つの押さえ金具（４４21，４４22）とでそれぞれ挟んで前記ハウジングに固定し、前記第１のテンションメンバ固定手段の前記第１の支持部の長手方向両端部に、前記２つのねじ（４５11，４５12）を該第１の支持部にそれぞれねじ込むための２つのねじ孔（４３ａ11，４３ａ12）がそれぞれ形成されており、前記第１のテンションメンバ固定手段の前記２つの押さえ金具（４４11，４４12）に、前記２つのねじ（４５11，４５12）をそれぞれ通すための２つの孔（４４ａ11，４４ａ12）がそれぞれ形成されており、前記第２のテンションメンバ固定手段の前記第２の支持部の長手方向両端部に、前記２つのねじ（４５21，４５22）を該第２の支持部にそれぞれねじ込むための２つのねじ孔（４３ａ21，４３ａ22）がそれぞれ形成されており、前記第２のテンションメンバ固定手段の前記２つの押さえ金具（４４21，４４22）に、前記２つのねじ（４５21，４５22）をそれぞれ通すための２つの孔（４４ａ21，４４ａ22）がそれぞれ形成されていてもよい。
前記第１の光ドロップケーブル固定手段の前記第１のテンションメンバ固定手段が、前記第１の光ドロップケーブルの２つの先端部分（１０ａ11，１０ａ12）のうちの一方（１０ａ11）から露出されたテンションメンバ（１２11）および前記第２の光ドロップケーブルの２つの先端部分（１０ａ21，１０ａ22）の一方（１０ａ21）から露出されたテンションメンバ（１２21）を支持する第１の支持部（２６1）と、該第１の支持部によって支持された前記２つのテンションメンバ（１２11，１２21）を一緒に前記ハウジングに固定するための複数のねじ（２７ａ1，２７ｂ1，２７ｃ1）とを有し、前記第２の光ドロップケーブル固定手段の前記第２のテンションメンバ固定手段が、前記第１の光ドロップケーブルの前記２つの先端部分（１０ａ11，１０ａ12）のうちの他方（１０ａ12）から露出されたテンションメンバ（１２12）および前記第２の光ドロップケーブルの前記２つの先端部分（１０ａ21，１０ａ22）の他方（１０ａ22）から露出されたテンションメンバ（１２22）を支持する第２の支持部（２６2）と、該第２の支持部によって支持された前記２つのテンションメンバ（１２12，１２22）を一緒に前記ハウジングに固定するための複数のねじ（２７ａ2，２７ｂ2，２７ｃ2）とを有してもよい。
前記第１の光ドロップケーブル固定手段が、前記第１のケーブル収容溝が形成された領域における前記ハウジングに形成された、かつ、該第１のケーブル収容溝の幅方向両側から該第１のケーブル収容溝に向かって突出してそれぞれ延びる２つのケーブル保持部（２１ａ11，２１ａ12）をさらに有し、前記第２の光ドロップケーブル固定手段が、前記第２のケーブル収容溝が形成された領域における前記ハウジングに形成された、かつ、該第２のケーブル収容溝の幅方向両側から該第２のケーブル収容溝に向かって突出してそれぞれ延びる２つのケーブル保持部（２１ａ21，２１ａ２2）をさらに有してもよい。
前記第１の光ドロップケーブル固定手段が、前記第１のケーブル収容溝を該第１のケーブル収容溝の幅方向に横断するように前記ハウジングに取り付けられた、かつ、一方の端部が第１の軸部材（２３ａ1）によって該ハウジングに回動自在に支持され、他方の端部が第１のねじ（２４1）によって該ハウジングに固定される第１のケーブル押さえ（２３1）をさらに有し、前記第２の光ドロップケーブル固定手段が、前記第２のケーブル収容溝を該第２のケーブル収容溝の幅方向に横断するように前記ハウジングに取り付けられた、かつ、一方の端部が第２の軸部材（２３ａ2）によって該ハウジングに回動自在に支持され、他方の端部が第２のねじ（２４2）によって該ハウジングに固定される第２のケーブル押さえ（２３2）をさらに有してもよい。
接続後の前記第１および第２の光ドロップケーブルの前記第１および第２の光ファイバ心線を保護するためのカバー（３０）をさらに具備し、前記第１および第２の光ドロップケーブル固定手段が、前記カバーを閉じた状態で前記第１および第２のケーブル収容溝と対向する前記カバーの領域にそれぞれ設けられた第１および第２の凸部（３２1，３２2）をそれぞれさらに有してもよい。
前記第１の光ドロップケーブルの２つの先端部分および前記第２の光ドロップケーブルの２つの先端部分を前記第１および第２の支持部に良好に導くためのケーブルガイド手段として、前記ファイバ連結部に設けられた第１乃至第４のガイドピン（２８1〜２８4）をさらに具備してもよい。
前記第１の光ドロップケーブルの２つの先端部分および前記第２の光ドロップケーブルの２つの先端部分を前記第１および第２の支持部に良好に導くためのケーブルガイド手段として、前記第１の光ドロップケーブルの２つの先端部分（１０ａ11，１０ａ12）のうちの一方（１０ａ11）を側方から挟み込む一対のクランプ爪（４７11，４７12）と、前記第１の光ドロップケーブルの前記２つの先端部分（１０ａ11，１０ａ12）のうちの他方（１０ａ12）を側方から挟み込む一対のクランプ爪（４７13，４７14）と、前記第２の光ドロップケーブルの２つの先端部分（１０ａ21，１０ａ22）のうちの一方（１０ａ21）を側方から挟み込む一対のクランプ爪（４７21，４７22）と、前記第２の光ドロップケーブルの前記２つの先端部分（１０ａ21，１０ａ22）のうちの他方（１０ａ22）を側方から挟み込む一対のクランプ爪（４７23，４７24）とをさらに具備してもよい。
前記光ケーブル接続具の背面に第１および第２の取付け穴（５０1，５０2）が形成されており、該第１および第２の取付け穴に、室内の壁面（５５）や床面などに設けられた第１および第２のフック（５１1，５１2）がそれぞれ挿入されてもよい。
前記光ケーブル接続具が、保護スリーブ（６０）で保護されており、該保護スリーブが、一端が前記光ケーブル接続具の前記ハウジングの近傍で該ハウジングから延出した前記第１および第２の光ドロップケーブルの少なくとも一方に取り付けられたゴム製の少なくとも１つのチューブ（６１1，６１2）を備えてもよい。
前記光ケーブル接続具が、保護スリーブ（７０）で保護されており、該保護スリーブが、前記光ケーブル接続具を包囲するように第１および第２のカップ状部材（７１1，７１2）を向かい合わせた構成を有する円筒状のスリーブを備え、前記第１および第２のカップ状部材の底部側端部に、前記第１および第２の光ドロップケーブルがそれぞれ挿通される第１および第２のケーブル挿通孔（７２1，７２2）が形成され、前記第１および第２のカップ状部材の開放側端部の内周面に、第１および第２のねじ溝（７３1，７３2）が形成されており、前記光ケーブル接続具の外面に、該光ケーブル接続具の長手方向中央部において、前記第１および第２のカップ状部材の開放側端部を支持する、かつ、外周面に前記第１および第２のカップ状部材の前記第１および第２のねじ溝に対応するねじ山が形成されたリング状部（７４）が形成されていてもよい。
前記ハウジングと長手方向に沿った辺同士が開閉自在に連結された、かつ、該ハウジングに対して閉じられた状態では該ハウジングを覆うカバー（３０）をさらに具備し、該カバーおよび前記ハウジングの互いに連結された辺と対向する辺には、互いに係合し合う係合爪（３０ａ1，３０ａ2，２０ａ）および係合凹部（２０ｂ1，２０ｂ2，３０ｂ）で構成される係合構造が設けられていてもよい。
前記ハウジングと長手方向に沿った辺同士が開閉自在に連結された、かつ、該ハウジングに対して閉じられた状態では該ハウジングを覆うカバー（３０）と、該カバーおよび前記ハウジングを弾性的に挟み込む第１および第２の挟持面（８１1，８１2）と該第１および第２の挟持面の間の背面（８２）とを備えるハウジング固定具（８０）とをさらに具備し、前記第１および第２の挟持面に、前記カバーの上面および前記ハウジングの底面にそれぞれ形成された第１および第２の溝（８５1，８５2）とそれぞれ嵌合する第１および第２の凹部（８３1，８３2）がそれぞれ形成されており、前記第１および第２の挟持面の先端に、第１および第２の爪が設けられていてもよい。
【発明の効果】
【０００８】
本発明の光ケーブル接続具は、以下の効果を奏する。
（１）２本の光ドロップケーブルを通っているテンションメンバをハウジングに固定するので、光ドロップケーブルの支持線を用いなくても、十分な引張強度を持たせた光ドロップケーブル同士の接続を建物内で行うことができる。
（２）上述した特許文献１および特許文献２に開示された光ドロップケーブルの接続部のように光ファイバ心線の余長を確保する必要は必ずしもないので、建物内での光ドロップケーブル同士の接続を容易に行うことができる。
（３）カバーおよびハウジングの互いに連結された辺と対向する辺に、互いに係合し合う係合爪および係合凹部で構成される係合構造を設けることにより、光ケーブル接続具を建物内に設置しても、カバーが不用意に開けられることを防止することができる。
【発明を実施するための最良の形態】
【０００９】
十分な引張強度を持たせた光ドロップケーブル同士の接続を建物内で行うという目的を、光ケーブル接続具のハウジングに、第１および第２の光ドロップケーブルが有するテンションメンバをハウジングに固定する光ドロップケーブル固定手段を設けることにより実現した。
【実施例１】
【００１０】
次に、本発明の光ケーブル接続具の実施例について図面を参照して説明する。
本発明の一実施例による光ケーブル接続具１は、建物内に光ドロップケーブルを新規に敷設する敷設作業や建物内での光ドロップケーブルの切断による張り直しといった補修作業などのために、建物内で光ドロップケーブル同士を接続するのに用いられるものであり、図１および図２に示すように、建物外から建物内に引き込まれる第１の光ドロップケーブル１０1および建物内に敷設される第２の光ドロップケーブル１０2を互いに光学的に接続した状態で固定するためのハウジング２０と、接続後の第１および第２の光ドロップケーブル１０1，１０2の第１および第２の光ファイバ心線１１1，１１2を保護するためのカバー３０とを具備する。
ここで、第１の光ドロップケーブル１０1は、電柱などに設置されたドロップ用クロージャなどに接続されており、第２の光ドロップケーブル１０2は、屋内に設置されたメディアコンバータなどに接続されている。
【００１１】
ハウジング２０はほぼ直方体をなす部材であり、その上面には、第１および第２の光ドロップケーブル１０1，１０2をそれぞれ収容するための第１および第２のケーブル収容溝２１1，２１2が、ハウジング２０の長手方向両端部において互いに対向する２辺から中央部に向かって延びてそれぞれ形成されている。
【００１２】
第１のケーブル収容溝２１1が形成された領域におけるハウジング２０の上面には、第１のケーブル収容溝２１1の幅方向両側から第１のケーブル収容溝２１1に向かって突出してそれぞれ延びる２つのケーブル保持部２１ａ11，２１ａ12が形成されている。これらのケーブル保持部２１ａ11，２１ａ12は、第１の光ドロップケーブル１０1をハウジング２０に固定する第１の光ドロップケーブル固定手段としても機能する。
同様にして、第２のケーブル収容溝２１2が形成された領域におけるハウジング２０の上面には、第２のケーブル収容溝２１2の幅方向両側から第２のケーブル収容溝２１2に向かって突出してそれぞれ延びる２つのケーブル保持部２１ａ21，２１ａ22が形成されている。これらのケーブル保持部２１ａ21，２１ａ22は、第２の光ドロップケーブル１０2をハウジング２０に固定する第２の光ドロップケーブル固定手段としても機能する。
【００１３】
第１の光ドロップケーブル１０1は、図３に示すように、第１のファイバ心線１１1と、第１の光ファイバ心線１１1を間において第１の光ファイバ心線１１1と平行にかつ間隔をあけて配置された２本のテンションメンバ１２11，１２12と、第１の光ファイバ心線１１1と２本のテンションメンバ１２11，１２12とを保護するための第１の被覆１３1とを備える。ここで、各テンションメンバ１２11，１２12は、建物内における第１の光ドロップケーブル１０1の張力を担っており、鋼線またはＦＲＰ（Fiber Reinforced Plastics）などで構成されている。また、各テンションメンバ１２11，１２12の直径は、一般には、０．４ｍｍ程度である。
第２の光ドロップケーブル１０2は、第１の光ドロップケーブル１０1と同様の構成を有する。
なお、第１および第２の光ドロップケーブル１０1，１０2は、図３に示したように１本の光ファイバ心線を備えるが、２本以上の光ファイバ心線を備えるものであってもよい。
【００１４】
第１の光ファイバ心線１１1は、第１の光ドロップケーブル１０1の第１の被覆１３1をその幅方向中央部で長手方向に沿って所定の長さだけ切り開いて第１の光ドロップケーブル１０1の先端部を２つの先端部分１０ａ11，１０ａ12に分岐させることにより、露出されている。また、第１の光ドロップケーブル１０1の２つの先端部分１０ａ11，１０ａ12の第１の被覆１３1を取り除くことにより、２本のテンションメンバ１２11，１２12が露出されている。
同様に、第２の光ファイバ心線１１2は、第２の光ドロップケーブル１０2の第２の被覆１３2（不図示）をその幅方向中央部で長手方向に沿って所定の長さだけ切り開いて第２の光ドロップケーブル１０2の先端部を２つの先端部分１０ａ21，１０ａ22に分岐させることにより、露出されている。また、第２の光ドロップケーブル１０2の２つの先端部分１０ａ21，１０ａ22の第２の被覆１３2を取り除くことにより、２本のテンションメンバ１２21，１２22が露出されている。
【００１５】
第１および第２のケーブル収容溝２１1，２１2の間の領域には、第１および第２の光ドロップケーブル１０1，１０2から露出された第１および第２の光ファイバ心線１１1，１１2を光学的に接続するためのファイバ連結部２２がハウジング２０の上面の凹部として形成されている。
本実施例による光ケーブル接続具１では、光ファイバ心線接続手段としてメカニカルスプライス２５を用いて第１および第２の光ファイバ心線１１1，１１2の接続を行っており、ファイバ連結部２２には、メカニカルスプライス２５をその幅方向両側から保持する第１および第２の保持爪２２ａ1，２２ａ2が一体的に設けられている。
なお、第１および第２の光ファイバ心線１１1，１１2を接続する光ファイバ心線接続手段は、融着スリーブによるものであってもよい。
【００１６】
ファイバ連結部２２のメカニカルスプライス２５の両側には、第１の光ドロップケーブル固定手段として機能する第１の支持部２６1および第１のねじ２７1と、第２の光ドロップケーブル固定手段として機能する第２の支持部２６2および第２のねじ２７2とがそれぞれ設けられている。
【００１７】
すなわち、第１の光ドロップケーブル１０1の２つの先端部分１０ａ11，１０ａ12のうちの一方（先端部分１０ａ11）から露出されたテンションメンバ１２11および第２の光ドロップケーブル１０2の２つの先端部分１０ａ21，１０ａ22のうちの一方（先端部分１０ａ21）から露出されたテンションメンバ１２21を第１の支持部２６1によって支持し、第１の支持部２６1によって支持された２本のテンションメンバ１２11，１２21を第１の支持部２６1の上面と第１のねじ２７1の頭部との間で締め付ける。
また、第１の光ドロップケーブル１０1の２つの先端部分１０ａ11，１０ａ12のうちの他方（先端部分１０ａ12）から露出されたテンションメンバ１２12および第２の光ドロップケーブル１０2の２つの先端部分１０ａ21，１０ａ22のうちの他方（先端部分１０ａ22）から露出されたテンションメンバ１２22を第２の支持部２６2によって支持し、第２の支持部２６2によって支持された２本のテンションメンバ１２12，１２22を第２の支持部２６2の上面と第２のねじ２７2の頭部との間で締め付ける。
これにより、第１および第２の光ドロップケーブル１０1，１０2がハウジング２０に固定される。
【００１８】
ファイバ連結部２２には、第１の光ドロップケーブル１０1の２つの先端部分１０ａ11，１０ａ12および第２の光ドロップケーブル１０2の２つの先端部分１０ａ21，１０ａ22を第１および第２の支持部２６1，２６2に良好に導くためのケーブルガイド手段として、第１乃至第４のガイドピン２８1〜２８4が設けられている。
すなわち、第１の光ドロップケーブル１０1の先端部分１０ａ11を第１の支持部２６１の方へ良好に導くための第１のガイドピン２８1と、第１の光ドロップケーブル１０1の先端部分１０ａ12を第２の支持部２６2の方へ良好に導くための第２のガイドピン２８2と、第２の光ドロップケーブル１０2の先端部分１０ａ21を第１の支持部２６１の方へ良好に導くための第３のガイドピン２８3と、第２の光ドロップケーブル１０2の先端部分１０ａ22を第２の支持部２６2の方へ良好に導くための第４のガイドピン２８4とが、ファイバ連結部２２に設けられている。
【００１９】
カバー３０は、ハウジング２０の平面形状とほぼ同一の平面形状を有している。カバー３０とハウジング２０とは互いの長手方向に沿った辺同士がヒンジ（不図示）によって開閉自在に連結されており、カバー３０がハウジング２０に対して閉じられた状態では、カバー３０はハウジング２０の上面を覆う。
【００２０】
ハウジング２０およびカバー３０のヒンジで互いに連結された辺と対向する辺には、互いに係合し合う係合爪および係合凹部で構成される係合構造が設けられている。
すなわち、カバー３０の長手方向両端部には第１および第２の係合爪３０ａ1，３０ａ2がそれぞれ設けられており、ハウジング２０の長手方向両端部には、第１および第２の係合爪３０ａ1，３０ａ2がそれぞれ係合する第１および第２の係合凹部２０ｂ1，２０ｂ2がそれぞれ設けられている。また、ハウジング２０の長手方向中央部には第３の係合爪２０ａが設けられており、カバー３０の長手方向中央部には、第３の係合爪２０ａが係合する第３の係合凹部３０ｂが設けられている。
このように、互いの係合関係が交互になるように第１乃至第３の係合爪３０ａ1，３０ａ2，２０ａおよび第１乃至第３の係合凹部２０ｂ1，２０ｂ2，３０ｂの組を配置することで、閉じているカバー３０を単純に開こうとしても両端部または中央部のいずれかで第１乃至第３の係合爪３０ａ1，３０ａ2，２０ａと第１乃至第３の係合凹部２０ｂ1，２０ｂ2，３０ｂとが係合しているので、カバー３０が不用意に開けられることを防止することができる。
【００２１】
次に、本実施例による光ケーブル接続具１を用いて第１および第２の光ドロップケーブル１０1，１０2を接続する方法（光ケーブル接続方法）について説明する。
まず、第１の光ドロップケーブル１０1の第１の被覆１３1をその幅方向中央部で長手方向に沿って所定の長さだけ切り開いて第１の光ドロップケーブル１０1の先端部を２つの先端部分１０ａ11，１０ａ12に分岐させることにより、第１の光ファイバ心線１１1を露出させる。その後、第１の光ドロップケーブル１０1の２つの先端部分１０ａ11，１０ａ12の第１の被覆１３1を取り除くことにより、２本のテンションメンバ１２11，１２12を露出させる。
また、第２の光ドロップケーブル１０2の第２の被覆１３2（不図示）をその幅方向中央部で長手方向に沿って所定の長さだけ切り開いて第２の光ドロップケーブル１０2の先端部を２つの先端部分１０ａ21，１０ａ22に分岐させることにより、第２の光ファイバ心線１１2を露出させる。その後、第２の光ドロップケーブル１０2の２つの先端部分１０ａ21，１０ａ22の第２の被覆１３2を取り除くことにより、２本のテンションメンバ１２21，１２22を露出させる。
【００２２】
続いて、第１および第２の光ドロップケーブル１０1，１０2を、露出した第１および第２の光ファイバ心線１１1，１１2が向き合うように対向させたのち、メカニカルスプライス２５を用いて第１および第２の光ファイバ心線１１1，１１2の先端部同士を接続する（図１および図２参照）。これにより、第１および第２の光ドロップケーブル１０1，１０2が光学的に接続される。
なお、第１および第２の光ファイバ心線１１1，１１2の先端部同士を接続する際には、余長を確保してもよいが、余長を確保する必要は必ずしもない。
【００２３】
続いて、第１および第２の光ドロップケーブル１０1，１０2が接続された状態でメカニカルスプライス２５をファイバ連結部２２に保持させるとともに、第１および第２の光ドロップケーブル１０1，１０2を第１および第２のケーブル収容溝２１1，２１2にそれぞれ嵌め込む。ここで、ファイバ連結部２２によるメカニカルスプライス２５の保持は、メカニカルスプライス２５を第１および第２の保持爪２２ａ1，２２ａ2の間に押し込むだけで簡単に行うことができる。
【００２４】
続いて、第１の光ドロップケーブル１０1の先端部分１０ａ11を第１のガイドピン２８1により第１の支持部２６１の方へ導いたのち、第１の光ドロップケーブル１０1の先端部分１０ａ11から露出したテンションメンバ１２11を第１の支持部２６1に載せて支持させるとともに、第２の光ドロップケーブル１０2の先端部分１０ａ21を第３のガイドピン２８3により第１の支持部２６１の方へ導いたのち、第２の光ドロップケーブル１０2の先端部分１０ａ21から露出したテンションメンバ１２21を第１の支持部２６1に載せて支持させる。この状態で第１のねじ２７1を締め付けることによって、第１の支持部２６1と第１のねじ２７1の頭部との間で２本のテンションメンバ１２11，１２21を固定する。
なお、第１のねじ２７1を締め付ける際、２本のテンションメンバ１２11，１２21には、第１のねじ２７1の頭部により第１のねじ２７1の回転方向への力が作用する。そこで、この力が２本のテンションメンバ１２11，１２21への引張力として作用するように、２本のテンションメンバ１２11，１２21を第１の支持部２６1によって支持させるのが望ましい。具体的には、２本のテンションメンバ１２11，１２21が第１のねじ２７1の両側を第１のねじ２７1の締め付け方向に沿って互いに逆向きに通るように、２本のテンションメンバ１２11，１２21を配置する。これにより、第１および第２の光ドロップケーブル１０1，１０2の弛みを防止することができる。
【００２５】
続いて、第１の光ドロップケーブル１０1の先端部分１０ａ12を第２のガイドピン２８2により第２の支持部２６2の方へ導いたのち、第１の光ドロップケーブル１０1の先端部分１０ａ12から露出したテンションメンバ１２12を第２の支持部２６2に載せて支持させるとともに、第２の光ドロップケーブル１０2の先端部分１０ａ22を第４のガイドピン２８4により第２の支持部２６2の方へ導いたのち、第２の光ドロップケーブル１０2の先端部分１０ａ22から露出したテンションメンバ１２22を第２の支持部２６2に載せて支持させる。この状態で第２のねじ２７2を締め付けることによって、第２の支持部２６2と第２のねじ２７2の頭部との間で２本のテンションメンバ１２12，１２22を固定する。
なお、この場合にも、２本のテンションメンバ１２12，１２22が第２のねじ２７2の両側を第２のねじ２７2の締め付け方向に沿って互いに逆向きに通るように、２本のテンションメンバ１２12，１２22を配置することにより、第１および第２の光ドロップケーブル１０1，１０2の弛みを防止することができる。
【００２６】
続いて、カバー３０を閉じて、第１および第２の光ドロップケーブル１０1，１０2の第１および第２の光ファイバ心線１１1，１１2が露出した部分を覆う。カバー３０を閉じる際に第１乃至第３の係合爪３０ａ1，３０ａ2，２０ａと第１乃至第３の係合凹部２０ｂ1，２０ｂ2，３０ｂとをそれぞれ係合させることによって、ハウジング２０に対してカバー３０を固定する。これによって、カバー３０が不用意に開くのを防止することができる。
【００２７】
以上説明したように、光ケーブル接続具１を用いることによって、極めて簡単に、建物内で第１および第２の光ドロップケーブル１０1，１０2を接続することができる。
また、テンションメンバ１２11，１２12，１２21，１２22を第１および第２の支持部２６1，２６2と第１および第２のねじ２７1，２７2とを用いて固定することにより十分な引張強度を持たせることができるので、たとえば建物内で第１および第２の光ドロップケーブル１０1，１０2が何らかの原因で引っ張られても第１および第２の光ドロップケーブル１０1，１０2の接続を保つことができる。
【００２８】
以上の説明では、第１の光ドロップケーブル固定手段として第１の支持部２６1および第１のねじ２７1を用いたが、図４に示すように、第１のねじ２７1の代わりに、互いに対向する２本のテンションメンバ１２11，１２21をそれぞれ固定する２つのねじ２７11，２７12を用いてもよい。この場合にも、ねじ２７11，２７12を締め付ける際のねじ２７11，２７12の回転によりテンションメンバ１２11，１２21に生じる力がテンションメンバ１２11，１２21の引張力として作用するように、テンションメンバ１２11，１２21を第１の支持部２６1によってそれぞれ支持させる。このように、テンションメンバ１２11，１２21ごとにねじ２７11，２７12を用いることにより、第１および第２の光ドロップケーブル１０1，１０2ごとに張力を調整して、より安定して第１および第２の光ドロップケーブル１０1，１０2を接続することができる。
【００２９】
同様に、第２の光ドロップケーブル固定手段として第２の支持部２６2および第２のねじ２７2を用いたが、第２のねじ２７2の代わりに、互いに対向する２本のテンションメンバ１２12，１２22をそれぞれ固定する２つのねじ２７21，２７22（不図示）を用いてもよい。この場合にも、ねじ２７21，２７22を締め付ける際のねじ２７21，２７22の回転によりテンションメンバ１２12，１２22に生じる力がテンションメンバ１２12，１２22の引張力として作用するように、テンションメンバ１２12，１２22を第２の支持部２６2によってそれぞれ支持させる。
【００３０】
また、第１および第２の光ドロップケーブル固定手段としては、４本のテンションメンバ１２11，１２12，１２21，１２22を固定することができるものであれば、如何なる構造を採用することもできる。以下に、第１および第２の光ドロップケーブル固定手段のその他の例を幾つか示す。
【００３１】
図５（ａ），（ｂ）に示す例では、第１の光ドロップケーブル固定手段は、第１の支持部４１1と、２つのねじ４２11，４２12（ねじ４２12は不図示）とを備える。
ここで、第１の支持部４１1には、同図（ｂ）に示すように、第１の光ドロップケーブル１０1の先端部分１０ａ11から露出されたテンションメンバ１２11が挿入される挿通孔４１ａ11と、第２の光ドロップケーブル１０2の先端部分１０ａ21から露出されたテンションメンバ１２21が挿入される挿通孔４１ａ12（不図示）とが形成されている。また、第１の支持部４１1の外表面には、２つの挿通孔４１ａ11，４１ａ12にそれぞれ達する２つのねじ孔４１ｂ11，４１ｂ12（ねじ孔４１ｂ12は不図示）が開口されている。
２つの挿通孔４１ａ11，４１ａ12に２本のテンションメンバ１２11，１２21をそれぞれ通した状態で、２つのねじ孔４１ｂ11，４１ｂ12に２つのねじ４２11，４２12がそれぞれねじ込まれる。これにより、２本のテンションメンバ１２11，１２21は、２つの挿通孔４１ａ11，４１ａ12内で２つのねじ４２11，４２12によってそれぞれ締め付けられて固定される。２つのねじ４２11，４２12を緩めれば、２本のテンションメンバ１２11，１２21を２つの挿通孔４１ａ11，４１ａ12から引き出すことができる。
【００３２】
同様に、第２の光ドロップケーブル固定手段は、第２の支持部４１2（不図示）と、２つのねじ４２21，４２22（不図示）とを備える。
第２の支持部４１2には、第１の光ドロップケーブル１０1の先端部分１０ａ12から露出されたテンションメンバ１２12が挿入される挿通孔４１ａ21（不図示）と、第２の光ドロップケーブル１０2の先端部分１０ａ22から露出されたテンションメンバ１２22が挿入される挿通孔４１ａ22（不図示）とが形成されている。また、第２の支持部４１2の外表面には、２つの挿通孔４１ａ21，４１ａ22にそれぞれ達する２つのねじ孔４１ｂ21，４１ｂ22（不図示）が開口されている。
２つの挿通孔４１ａ21，４１ａ22に２本のテンションメンバ１２12，１２22をそれぞれ通した状態で、２つのねじ孔４１ｂ21，４１ｂ22に２つのねじ４２21，４２22がそれぞれねじ込まれる。これにより、２本のテンションメンバ１２12，１２22は、２つの挿通孔４１ａ21，４１ａ22内で２つのねじ４２21，４２22によってそれぞれ締め付けられて固定される。２つのねじ４２21，４２22を緩めれば、２本のテンションメンバ１２12，１２22を２つの挿通孔４１ａ21，４１ａ22から引き出すことができる。
【００３３】
図６（ａ）,（ｂ）に示す例では、第１の光ドロップケーブル固定手段は、第１の支持部４３1と、２つの押さえ金具４４11，４４12（押さえ金具４４12は不図示）と、２つのねじ４５11，４５12（ねじ４５12は不図示）とを備える。
ここで、第１の支持部４３1の長手方向両端部には、２つのねじ４５11，４５12を第１の支持部４３1にそれぞれねじ込むための２つのねじ孔４３ａ11，４３ａ12（ねじ孔４３ａ12は不図示）がそれぞれ形成されている。また、２つの押さえ金具４４11，４４12には、２つのねじ４５11，４５12をそれぞれ通すための孔４４ａ11，４４ａ12（孔４４ａ12は不図示）がそれぞれ形成されている。
第１の支持部４３1によって支持された第１の光ドロップケーブル１０1の先端部分１０ａ11から露出されたテンションメンバ１２11および第２の光ドロップケーブル１０2の先端部分１０ａ21から露出されたテンションメンバ１２21の上に２つの押さえ金具４４11，４４12をそれぞれ被せたのち、２つのねじ４５11，４５12を２つの押さえ金具４４11，４４12の２つの孔４４ａ11，４４ａ12にそれぞれ通して第１の支持部４３1の２つのねじ孔４３ａ11，４３ａ12にそれぞれねじ込む。これにより、テンションメンバ１２11は、第１の支持部４３1と押さえ金具４４11とで挟まれて固定され、テンションメンバ１２21は、第１の支持部４３1と押さえ金具４４12とで挟まれて固定される。
このように、押さえ金具４４11，４４12を用いることにより、テンションメンバ１２11，１２21をより確実に固定することができるようになるとともに、第１の支持部４３1のテンションメンバ１２11，１２21を固定することができる領域を広げることができるので、テンションメンバ１２11，１２21の支持位置（載置位置）の自由度を向上させることができる。
【００３４】
同様に、第２の光ドロップケーブル固定手段は、第２の支持部４３2と、２つの押さえ金具４４21，４４22（不図示）と、２つのねじ４５21，４５22（不図示）とを備える。
ここで、第２の支持部４３2の長手方向両端部には、２つのねじ４５21，４５22を第２の支持部４３2にそれぞれねじ込むための２つのねじ孔４３ａ21，４３ａ22（不図示）がそれぞれ形成されている。また、２つの押さえ金具４４21，４４22には、２つのねじ４５21，４５22をそれぞれ通すための孔４４ａ21，４４ａ22（不図示）がそれぞれ形成されている。
第２の支持部４３2によって支持された第１の光ドロップケーブル１０1の先端部分１０ａ12から露出されたテンションメンバ１２12および第２の光ドロップケーブル１０2の先端部分１０ａ22から露出されたテンションメンバ１２22の上に２つの押さえ金具４４21，４４22をそれぞれ被せたのち、２つのねじ４５21，４５22を２つの押さえ金具４４21，４４22の２つの孔４４ａ21，４４ａ22にそれぞれ通して第２の支持部４３2の２つのねじ孔４３ａ21，４３ａ22にそれぞれねじ込む。これにより、テンションメンバ１２12は、第２の支持部４３2と押さえ金具４４21とで挟まれて固定され、テンションメンバ１２22は、第２の支持部４３2と押さえ金具４４22とで挟まれて固定される。
【００３５】
図７に示す例では、第１の光ドロップケーブル固定手段は、第１の支持部２６1によって支持された第１の光ドロップケーブル１０1の先端部分１０ａ11から露出されたテンションメンバ１２11および第２の光ドロップケーブル１０2の先端部分１０ａ21から露出されたテンションメンバ１２21を複数のねじを用いて一緒に固定する点で、２本のテンションメンバ１２11，１２21を１つのねじを用いてそれぞれ固定する図１や図４に示した第１の光ドロップケーブル固定手段と異なる。
すなわち、第１の光ドロップケーブル固定手段は、第１の支持部２６1と、３本のねじ２７ａ1，２７ｂ1，２７ｃ1とを備える。
３本のねじ２７ａ1，２７ｂ1，２７ｃ1を第１の支持部２６1にねじ込むことにより、第１の支持部２６1によって支持された２本のテンションメンバ１２11，１２21を第１の支持部２６1と３本のねじ２７ａ1，２７ｂ1，２７ｃ1の頭部との間で締め付ける。これにより、より十分な引張強度を持たせて第１および第２の光ドロップケーブル１０1，１０2をハウジング２０に固定することができる。
【００３６】
同様に、第２の光ドロップケーブル固定手段は、第２の支持部２６2（不図示）と、３本のねじ２７ａ2，２７ｂ2，２７ｃ2（不図示）とを備える。
３本のねじ２７ａ2，２７ｂ2，２７ｃ2を第２の支持部２６2にねじ込むことにより、第２の支持部２６2によって支持された２本のテンションメンバ１２12，１２22を第２の支持部２６2と３本のねじ２７ａ2，２７ｂ2，２７ｃ2の頭部との間で締め付ける。これにより、より十分な引張強度を持たせて第１および第２の光ドロップケーブル１０1，１０2をハウジング２０に固定することができる。
【００３７】
なお、第１および第２の光ドロップケーブル固定手段を構成するねじの数を３つとしたが、２つでもよいし４つ以上であってもよい。
【００３８】
以上、第１および第２の光ドロップケーブル固定手段について種々の例について説明したが、４本のテンションメンバ１２11，１２12，１２21，１２22に余長を持たせる場合には、その余長を吸収するために、ハウジング２０の表面に対する第１および第２の光ファイバ心線１１1，１１2の接続位置と４本のテンションメンバ１２11，１２12，１２21，１２22の固定位置との間に高低差を設けることが好ましい。
【００３９】
以上の説明では、図２に示したように第１および第２の光ドロップケーブル１０1，１０2の先端部分１０ａ11，１０ａ12，１０ａ21，１０ａ22を第１および第２の支持部２６1，２６2の方へ良好に導くためのケーブルガイド手段として第１乃至第４のガイドピン２８1〜２８4を用いたが、第１乃至第４のガイドピン２８1〜２８4の代わりに、クランプ爪４７11〜４７14，４７21〜４７24(クランプ爪４７13，４７14，４７21〜４７24は不図示)用いてもよい。ここで、クランプ爪４７11〜４７14，４７21〜４７24は、ペンチのような簡易な工具で塑性変形させることができる金属板などで構成することができる。
【００４０】
すなわち、図８（ａ），（ｂ）に示すように、第１の光ドロップケーブル１０1の先端部分１０ａ11は、一対のクランプ爪４７11，４７12が開いた状態で一対のクランプ爪４７11，４７12の間にそれぞれ挿入される。この状態で一対のクランプ爪４７11，４７12を閉じ、第１の光ドロップケーブル１０1の先端部分１０ａ11を一対のクランプ爪４７11，４７12で挟み込むことにより、第１の光ドロップケーブル１０1の先端部分１０ａ11を第１の支持部２６１の方へ良好に導く。
同様にして第１の光ドロップケーブル１０1の先端部分１０ａ12を一対のクランプ爪４７13，４７14で挟み込むことにより、第１の光ドロップケーブル１０1の先端部分１０ａ12を第２の支持部２６2の方へ良好に導き、同様にして第２の光ドロップケーブル１０2の先端部分１０ａ21を一対のクランプ爪４７21，４７22で挟み込むことにより、第２の光ドロップケーブル１０2の先端部分１０ａ21を第１の支持部２６1の方へ良好に導き、同様にして第２の光ドロップケーブル１０2の先端部分１０ａ22を一対のクランプ爪４７23，４７24で挟み込むことにより、第２の光ドロップケーブル１０2の先端部分１０ａ22を第２の支持部２６2の方へ良好に導く。
【００４１】
なお、一対のクランプ爪４７11，４７12および一対のクランプ爪４７13，４７14は、第１の光ドロップケーブル１０1をハウジング２０に固定する第１の光ドロップケーブル固定手段としても機能し、また、一対のクランプ爪４７21，４７22および一対のクランプ爪４７23，４７24は、第２の光ドロップケーブル１０2をハウジング２０に固定する第２の光ドロップケーブル固定手段としても機能する。
【００４２】
第１および第２の光ドロップケーブル１０1，１０2のハウジング２０への固定は、４本のテンションメンバ１２11，１２12，１２21，１２22だけでなく、図１に示したケーブル保持部２１ａ11，２１ａ12，２１ａ21，２１ａ22のように、第１および第２の光ドロップケーブル１０1，１０2の先端部分１０ａ11，１０ａ12，１０ａ21，１０ａ22以外でも行うことは、第１および第２の光ドロップケーブル１０1，１０2をより安定してハウジング２０に固定するのに好ましい。図９および図１０に、第１および第２の光ドロップケーブル１０1，１０2の先端部分１０ａ11，１０ａ12，１０ａ21，１０ａ22以外で第１および第２の光ドロップケーブル１０1，１０2をハウジング２０に固定するためのその他の例を示す。
【００４３】
図９に示す例では、ハウジング２０の上面に、第１および第２のケーブル押さえ２３1，２３2（第２のケーブル押さえ２３2は不図示）が、第１および第２のケーブル収容溝２１1，２１2をそれらの幅方向に横断するようにそれぞれ取り付けられている。
第１のケーブル押さえ２３1は、一方の端部が第１の軸部材２３ａ1によってハウジング２０に回動自在に支持されており、他方の端部が第１のねじ２４1によってハウジング２０に固定される。第２のケーブル押さえ２３2も、同様に、一方の端部が第２の軸部材２３ａ2（不図示）によってハウジング２０に回動自在に支持されており、他方の端部が第２のねじ２４2（不図示）によってハウジング２０に固定される。
【００４４】
第１および第２のケーブル押さえ２３1，２３2は、第１および第２のケーブル収容溝２１1，２１2にそれぞれ挿入された第１および第２の光ドロップケーブル１０1，１０2を第１および第２のケーブル収容溝２１1，２１2内でそれぞれ固定する働きをする。そのために、第１および第２のケーブル押さえ２３1，２３2と第１および第２のケーブル収容溝２１1，２１2とは、第１および第２の光ドロップケーブル１０1，１０2を第１および第２のケーブル収容溝２１1，２１2内にそれぞれ挿入した状態で第１および第２のねじ２４1，２４2によってハウジング２０にそれぞれ固定した際に、第１および第２のケーブル押さえ２３1，２３2が第１および第２の光ドロップケーブル１０1，１０2を第１および第２のケーブル収容溝２１1，２１2に向けてそれぞれ押圧するように構成されている。
【００４５】
第１および第２のケーブル押さえ２３1，２３2と第１および第２のケーブル収容溝２１1，２１2とをこのように構成する例としては、以下に示すような構成が挙げられる。
（１）第１および第２のケーブル収容溝２１1，２１2の深さを第１および第２の光ドロップケーブル１０1，１０2の厚みよりも浅くして、第１および第２のケーブル収容溝２１1，２１2から出っ張った部分を第１および第２のケーブル押さえ２３1，２３2でそれぞれ押圧する構成。
（２）第１および第２のケーブル押さえ２３1，２３2がハウジング２０に固定された状態において、第１および第２のケーブル押さえ２３1，２３2の第１および第２のケーブル収容溝２１1，２１2と対向する領域に第１および第２の凸部（不図示）をそれぞれ設け、第１および第２の凸部によって第１および第２の光ドロップケーブル１０1，１０2をそれぞれ押圧する構成。
【００４６】
図１０に示す例では、第１および第２の凸部３２1，３２2（第２の凸部３２2は不図示）をカバー３０の長手方向両端部にカバー３０と一体的にそれぞれ設けることによって、第１および第２の光ドロップケーブル１０1，１０2をハウジング２０に固定する。ここで、第１および第２の凸部３２1，３２2は、カバー３０を閉じた状態で第１および第２のケーブル収容溝２１1，２１2と対向する領域にそれぞれ設けられている。
【００４７】
第１の凸部３２1を用いて第１の光ドロップケーブル１０1を固定するには、第１の光ドロップケーブル１０1を第１のケーブル収容溝２１1内に嵌め込んだのち、カバー３０を閉じる。カバー３０を閉じることによって、第１の光ドロップケーブル１０1はカバー３０に設けられた第１の凸部３２1によって押圧され、ハウジング２０に固定される。第２の光ドロップケーブル１０2も、同様にして、第２の凸部３２2を用いてハウジング２０に固定される。
【００４８】
このように、第１および第２の光ドロップケーブル１０1，１０2をハウジング２０に固定するための第１および第２の凸部３２1，３２2をカバー３０に設けることにより、光ケーブル接続具の構造を簡単化することができる。
【００４９】
次に、光ケーブル接続具１の建物内での設置方法について説明する。
光ケーブル接続具１は、そのまま建物内に設置してもよいが、壁面あるいは床面に固定することが好ましい。
【００５０】
図１１（ａ），（ｂ）に、光ケーブル接続具１を建物の室内壁面に取り付けられるようにした例を示す。この例では、同図（ａ）に示すように、光ケーブル接続具１の背面に第１および第２の取付け穴５０1，５０2を形成し、同図（ｂ）に示すように、第１および第２の取付け穴５０1，５０2に、室内の壁面５５に設けられた第１および第２のフック５１1，５１2（第２のフック５１2は不図示）がそれぞれ挿入される構成となっている。
【００５１】
ここで、第１のフック５１1は、図１１（ｂ）に示すように、壁面５５に突設された第１の軸部５１ａ1と、第１の軸部５１ａ1の先端の、第１の軸部５１ａ1よりも直径の大きい第１の頭部５１ｂ1とを有する。また、第１の取付け穴５０1は、図１１（ａ）に示すように、第１のフック５１1の第１の頭部５１ｂ1が挿入できるサイズを有する第１のフック挿入部５０ａ1と、第１のフック挿入部５０ａ1に挿入された第１のフック５１1の第１の頭部５１ｂ1を引っ掛けるための、第１のフック挿入部５０ａ1から図示上向きに延びて形成された第１の引掛け部５０ｂ1とを有する。
第２のフック５１2は、第１のフック５１1と同様に、壁面５５に突設された第２の軸部５１ａ2（不図示）と、第２の軸部５１ａ2の先端の、第２の軸部５１ａ2よりも直径の大きい第２の頭部５１ｂ2（不図示）とを有する。また、第２の取付け穴５０2は、第１の取付け穴５０1と同様に、第２のフック５１2の第２の頭部５１ｂ2が挿入できるサイズを有する第２のフック挿入部５０ａ2と、第２のフック挿入部５０ａ2に挿入された第２のフック５１2の第２の頭部５１ｂ2を引っ掛けるための、第２のフック挿入部５０ａ2から上向きに延びて形成された第２の引掛け部５０ｂ2とを有する。
【００５２】
これにより、第１の取付け穴５０1の第１のフック挿入部５０ａ1に第１のフック５１1を挿入するとともに第２の取付け穴５０2の第２のフック挿入部５０ａ2に第２のフック５１2を挿入し、その状態で光ケーブル接続具１を壁面５５に対して図示下向きに移動させると、光ケーブル接続具１は第１および第２のフック５１1，５１2に係合するので、光ケーブル接続具１を壁面５５に固定することができる。
【００５３】
なお、第１および第２の取付け穴５０1，５０2と第１および第２のフック５１1，５１2の形態は、互いに係合し得る形態であれば、図１１（ａ），（ｂ）に示した形態に限られるものではない。
また、光ケーブル接続具１を壁面５５に固定する手段としては、上述したような係合を利用したものに限らず、その他にも、ねじや両面テープを利用したものなど、任意の手段を用いることができる。
【００５４】
次に、光ケーブル接続具１の保護方法について説明する。
光ケーブル接続具１は、保護スリーブで保護してもよい。
【００５５】
図１２（ａ），（ｂ）に示す例では、保護スリーブ６０は、ゴム製の第１および第２のチューブ６１1，６１2を有する。ここで、第１および第２のチューブ６１1，６１2は、一端が光ケーブル接続具１のハウジング２０の近傍でハウジング２０から延出した第１および第２の光ドロップケーブル１０1，１０2にそれぞれ取り付けられている。
なお、図１２（ａ）,(ｂ)では、第１および第２のチューブ６１1，６１2は断面で示されている。
【００５６】
第１および第２の光ドロップケーブル１０1，１０2の接続作業時には、図１２（ａ）に示すように、第１および第２のチューブ６１1，６１2の開放した他端側は、固定された一端よりもハウジング２０から離れた側を向いている。第１および第２の光ドロップケーブル１０1，１０2の接続が完了したのちは、図１２（ｂ）に示すように、第１および第２のチューブ６１1，６１2を、開放した他端側が光ケーブル接続具１のハウジング２０を通過するように反転させる。これにより、光ケーブル接続具１のハウジング２０は第１および第２のチューブ６１1，６１2によって全体が覆われる。
【００５７】
なお、第１および第２のチューブ６１1，６１2を用いた例を示したが、チューブの長さが光ケーブル接続具１をカバーするのに十分な長さを有している場合は、１つのチューブのみとしてもよい。
また、光ケーブル接続具１が接触することによる第１および第２のチューブ６１1，６１2の損傷を防止するために、光ケーブル接続具１の第１および第２のチューブ６１1，６１2と接触する箇所についてはＲ加工（丸み付け加工）を施すことが好ましい。
【００５８】
図１３（ａ），（ｂ）に示す例では、保護スリーブ７０は、光ケーブル接続具１を包囲するように、第１および第２のカップ状部材７１1，７１2を向かい合わせた構成を有する円筒状のスリーブである。
【００５９】
第１および第２のカップ状部材７１1，７１2は、第１および第２の光ドロップケーブル１０1，１０2がそれぞれ挿通される第１および第２のケーブル挿通孔７２1，７２2が底部側端部に形成されるとともに、第１および第２のねじ溝７３1，７３2が開放側端部の内周面に形成されている。
光ケーブル接続具１の外面には、その長手方向中央部において、第１および第２のカップ状部材７１1，７１2の開放側端部を支持するリング状部７４が形成されている。ここで、リング状部７４の外周面には、第１および第２のカップ状部材７１1，７１2の第１および第２のねじ溝７３1，７３2に対応するねじ山が形成されている。
【００６０】
第１および第２の光ドロップケーブル１０1，１０2の接続作業は、第１および第２のカップ状部材７１1，７１2を開いた状態で行う。接続作業が完了すると、第１および第２のカップ状部材７１1，７１2を互いに接近させ、光ケーブル接続具１のリング状部７４に螺合する。これによって、光ケーブル接続具１のハウジング２０は第１および第２のカップ状部材７１1，７１2によって全体が覆われる。
【００６１】
なお、図１２（ａ），（ｂ）および図１３（ａ），（ｂ）に示したように、光ケーブル接続具１を保護スリーブ６０，７０で保護する場合は、図１に示したカバー３０は必ずしも設けなくともよい。
【００６２】
また、上述した各実施例では、光ケーブル接続具１（ハウジング２０）は全体として略直方体形状のものとして説明したが、その形状は特に限定されるものではなく、設置場所やデザイン上の要求などに応じた任意の形状であってよい。特に、図１３（ａ），（ｂ）に示したような円筒状の保護スリーブ７０を備える場合は、その内部に収容される構造も全体として円筒状であることが望ましい。
【００６３】
さらに、図１に示したように第１乃至第３の係合爪３０ａ1，３０ａ2，２０ａおよび第１乃至第３の係合凹部２０ｂ1，２０ｂ2，３０ｂの組を配置することによりカバー３０が不用意に開けられることを防止したが、図１４（ａ）の右側に示すようなハウジング固定具８０を用いてもよい。
【００６４】
ハウジング固定具８０は、カバー３０およびハウジング２０を弾性的に挟み込む第１および第２の挟持面８１1，８１2と、第１および第２の挟持面８１1，８１2の間の背面８２とを備える。
第１および第２の挟持面８１1，８１2には、カバー３０の上面の中央部およびハウジング２０の底面の中央部にそれぞれ形成された第１および第２の溝８５1，８５2（第２の溝８５2は不図示）とそれぞれ嵌合する第１および第２の凹部８３1，８３2がそれぞれ形成されている。
また、第１および第２の挟持面８１1，８１2の先端には第１および第２の爪が設けられており、カバー３０およびハウジング２０を挟み込んだときに第１および第２の爪でカバー３０およびハウジング２０を掴むようにされている。
【００６５】
図１４（ｂ）に示すように、カバー３０が閉じられた光ケーブル接続具１を第１および第２の凹部８３1，８３2が第１および第２の溝８５1，８５2に嵌合するまでハウジング固定具８０に挿入し、第１および第２の挟持面８１1，８１2が内側に閉じようとする力を利用してカバー３０およびハウジング２０をハウジング固定具８０で挟み込むことにより、カバー３０が不用意に開けられることを防止することができる。
【産業上の利用可能性】
【００６６】
以上説明したように、本発明の光ケーブル接続具は、たとえば、建物外から建物内に引き込まれた光ドロップケーブルと建物内に敷設された光ドロップケーブルとを建物内で接続するのに利用することができる。
【図面の簡単な説明】
【００６７】
【図１】本発明の一実施形態による光ケーブル接続具の斜視図である。
【図２】図１に示した光ケーブル接続具１のカバー３０を除いた状態での平面図である。
【図３】図１に示した第１の光ドロップケーブル１０1の断面図である。
【図４】図１に示したケーブル固定部の変更例を示す拡大平面図である。
【図５】図１に示したケーブル固定部の構造の他の例を示す図であり、（ａ）はその平面図、（ｂ）は（ａ）のＡ−Ａ線断面図である。
【図６】図１に示したケーブル固定部の構造の更に他の例を示す図であり、（ａ）はその平面図、（ｂ）は（ａ）のＢ−Ｂ線断面図である。
【図７】複数の固定ねじを用いたケーブル固定部の平面図である。
【図８】光ドロップケーブルの分岐した先端部をケーブル固定部へ導くための構造の他の例を示し、同図（ａ）はその平面図、（ｂ）は（ａ）のＣ−Ｃ線断面図である。
【図９】光ドロップケーブル自身を光ケーブル接続具のハウジングに固定するための、他の例を示す要部平面図である。
【図１０】光ドロップケーブル自身を光ケーブル接続具のハウジングに固定するための、更に他の例を示す要部斜視図である。
【図１１】本発明による光ケーブル接続具の建物内の壁面への取付け構造の一例を示す図であり、（ａ）は光ケーブル接続具の背面図、（ｂ）は側方から光ケーブル接続具と壁面との関係を示す。
【図１２】本発明の光ケーブル接続具用の保護スリーブの一例を示す図である。
【図１３】本発明の光ケーブル接続具用の保護スリーブの他の例を示す図である。
【図１４】本発明の光ケーブル接続具用のハウジング固定具の一例を示す図である。
【符号の説明】
【００６８】
１  光ケーブル接続具
１０1，１０2  第１および第２の光ドロップケーブル
１０ａ11，１０ａ12，１０ａ21，１０ａ22  先端部分
１１1，１１2  第１および第２の光ファイバ心線
１２11，１２12，１２21，１２22  テンションメンバ
１３1  第１の被覆
２０  ハウジング
２０ａ，３０ａ1，３０ａ2  第１乃至第３の係合爪
２０ｂ1，２０ｂ2，３０ｂ  第１乃至第３の係合凹部
２１1，２１2  第１および第２のケーブル収容溝
２１ａ11，２１ａ12，２１ａ21，２１ａ22  ケーブル保持部
２２  ファイバ連結部
２２ａ1，２２ａ2  第１および第２の保持爪
２３1  第１のケーブル押さえ
２３ａ1  第１の軸部材
２４1  第１のねじ
２５  メカニカルスプライス
２６1，２６2  第１および第２の支持部
２７1，２７２  第１および第２のねじ
２７11，２７12  ねじ
２７ａ1，２７ｂ1，２７ｃ1  ねじ
２８1〜２８4  第１乃至第４のガイドピン
３０  カバー
３０ａ1，３０ａ２  第１および第２の係合爪
３０ｂ  第３の係合凹部
３２1  第１の凸部
４１1  第１の支持部
４１ａ11  挿通孔
４１ｂ11  ねじ孔
４２11  ねじ
４３1  第１の支持部
４３ａ11  ねじ孔
４４11  押さえ金具
４４ａ11  孔
４５11  ねじ
４７11，４７12  クランプ爪
５０1，５０2  第１および第２の取付け穴
５０ａ1，５０ａ2  第１および第２のフック挿入部
５０ｂ1，５０ｂ2  第１および第２の引掛け部
５１1  第１のフック
５１ａ1  第１の軸部
５１ｂ1  第１の頭部
５５  壁面
６０  保護スリーブ
６１1，６１2  第１および第２のチューブ
７０  保護スリーブ
７１1，７１2  第１および第２のカップ状部材
７２1，７２2  第１および第２のケーブル挿通孔
７３1，７３2  第１および第２のねじ溝
７４  リング状部
８０  ハウジング固定具
８１1，８１2  第１および第２の挟持面
８２  背面
８３1，８３2  第１および第２の凹部
８５1  第１の溝
【図１】
0004458539.tif 000002
【図２】
0004458539.tif 000003
【図３】
0004458539.tif 000004
【図４】
0004458539.tif 000005
【図５】
0004458539.tif 000006
【図６】
0004458539.tif 000007
【図７】
0004458539.tif 000008
【図８】
0004458539.tif 000009
【図９】
0004458539.tif 000010
【図１０】
0004458539.tif 000011
【図１１】
0004458539.tif 000012
【図１２】
0004458539.tif 000013
【図１３】
0004458539.tif 000014
【図１４】
0004458539.tif 000015